(57)【要約】【課題】  スキー靴の内部の乾燥処理が容易であると共に、スキー靴の乾燥処理が不要な場合には、乾燥処理を行うためのスペースの端部分に乾燥用風供給体を退避させることで、乾燥処理を行うためのスペースを広くすることができるスキー用品乾燥装置の構成を提供すること。【解決手段】  スキー用品を収容するケース１０と、乾燥用風を発生する乾燥用風発生機２０と、乾燥用風発生機２０が発生した乾燥用風をケース１０の内部空間１１に供給する乾燥用風供給体３０と、を具備し、乾燥用風供給体３０は、ケース１０の内壁面１０Ａにおいて内壁面１０Ａに起立させた状態と内壁面１０Ａに沿わせた状態に切り替え可能に設けられていると共に外表面には乾燥用風噴出口３１が形成されていることを特徴とするスキー用品乾燥装置１００である。【選択図】図３
2017086157.tif 000002
【特許請求の範囲】
【請求項１】
スキー用品を収容するケースと、
乾燥用風を発生する乾燥用風発生機と、
前記乾燥用風発生機が発生した乾燥用風を前記ケースの内部空間に供給する乾燥用風供給体と、を具備し、
前記乾燥用風供給体は、前記ケースの内壁面に対して起立する状態と、前記ケースの内壁面に沿った状態と、に切り替え可能に設けられていると共に外表面には第１の乾燥用風噴出口が形成されていることを特徴とするスキー用品乾燥装置。
【請求項２】
前記乾燥用風発生機が発生した乾燥用風は、分岐部を介して前記乾燥用風供給体と、前記ケースの内部空間に開口する第２の乾燥用風噴出口とに分配されていることを特徴とする請求項１記載のスキー用品乾燥装置。
【請求項３】
前記乾燥用風供給体は、立設面に対して平行に延設された第１乾燥用風供給体と、該第１乾燥用風供給体に接続され、前記内壁面に対して起立する方向に延設された第２乾燥用風供給体と、を有しており、
前記第１乾燥用風供給体と前記第２乾燥用風供給体とは前記ケースの内部空間内において逆Ｔ字型をなしていることを特徴とする請求項１または２記載のスキー用品乾燥装置。
【請求項４】
前記ケース内には前記スキー用品を載置するスキー用品載置部が配設されていることを特徴とする請求項１〜３のうちのいずれか一項に記載のスキー用品乾燥装置。
【請求項５】
前記ケース内には排気ファンが配設されていることを特徴とする請求項１〜４のうちのいずれか一項に記載のスキー用品乾燥装置。
【請求項６】
前記ケースには金銭投入部と電源供給用タイマが配設されていて、
前記電源供給用タイマは、前記金銭投入部に投入された金額に応じた時間にわたって電源を供給することを特徴とする請求項１〜５のうちのいずれか一項に記載のスキー用品乾燥装置。
【発明の詳細な説明】
【技術分野】
【０００１】
本発明はスキー用品乾燥装置に関する。
【背景技術】
【０００２】
スキーをした後におけるスキー靴などのスキー用品は、汗や雪の付着により濡れていることが多い。したがって、ただ単にスキー靴や手袋を脱いだままにしておくと、スキー靴や手袋は濡れたままになっており、再度スキーを行う際は濡れた状態のスキー靴や手袋を用いなければならず不快であった。
【０００３】
休憩等をしている間にスキー靴や手袋等のスキー用品を乾燥させるためには、スキー用品をストーブの近くや乾燥室に置いておく等の措置が取られる場合がある。しかしながらストーブの近くにあっては、ストーブの熱によりスキー用品が変形してしまう等といった損傷のおそれがあった。また、乾燥室に置いた場合、他人のスキー用品との混同や盗難に遭ってしまうといったおそれがある。
【０００４】
近年では、コインロッカー式のスキー用品の乾燥装置が提供されており、スキー用品の乾燥処理に適した温度の乾燥用風を供給することにより、熱によるスキー用品の損傷を防ぐと共に、他人のスキー用品との混同や盗難にあうおそれがなくなり好都合であった。このようなコインロッカー式のスキー用品の乾燥装置としては、特許文献１に開示されているような構成のものが知られている。
【先行技術文献】
【特許文献】
【０００５】
【特許文献１】特開２００１−１９０４８３号公報
【発明の概要】
【発明が解決しようとする課題】
【０００６】
特許文献１に開示されているコインロッカー式のスキー用品乾燥装置は、乾燥用風供給体にスキー靴を差し込んだ状態にしてコインを投入することにより、乾燥用風供給体からスキー靴内に加熱乾燥空気とオゾンを一定時間にわたって吹き込むことができる。これによりスキー靴内の乾燥処理や消臭処理が可能ではあるが、乾燥用風供給体が乾燥室内を横断する状態で配設されているため、コンパクトにすることができない大型のスキー用品を納めることができず、このようなスキー用品を乾燥処理することができないといった課題がある。
【０００７】
そこで本発明は上記課題を解決すべくなされたものであり、その目的とするところは、スキー靴の内部の乾燥処理が容易であると共に、スキー靴の乾燥処理が不要な場合には、乾燥処理を行うためのスペースを形成する内壁面に乾燥用風供給体を沿った状態にすることで、乾燥処理を行うためのスペースを広くすることができるスキー用品乾燥装置の構成を提供することにある。
【課題を解決するための手段】
【０００８】
上記課題を解決するために本発明者が鋭意研究した結果、以下の構成に想到した。
すなわち本発明は、スキー用品を収容するケースと、乾燥用風を発生する乾燥用風発生機と、前記乾燥用風発生機が発生した乾燥用風を前記ケースの内部空間に供給する乾燥用風供給体と、を具備し、前記乾燥用風供給体は、前記ケースの内壁面に対して起立する状態と、前記ケースの内壁面に沿った状態と、に切り替え可能に設けられていると共に外表面には第１の乾燥用風噴出口が形成されていることを特徴とするスキー用品乾燥装置である。
【０００９】
これにより、スキー用品の乾燥処理用スペースであるケースの内部空間において、スキー靴の内部を乾燥させるに好適な乾燥用風供給体を、乾燥処理を行うためのスペースを形成する内壁面に起立させた状態と乾燥用風供給体を沿わせた状態に切り替えすることができる。よって、スキー靴の乾燥処理が不要な場合には、乾燥用風供給体が邪魔になることなく、コンパクトにすることができない大型のスキー用品をケースの内部空間に収容して乾燥処理をすることができる。
【００１０】
また、前記乾燥用風発生機が発生した乾燥用風は、分岐部を介して前記乾燥用風供給体と、前記ケースの内部空間に開口する第２の乾燥用風噴出口とに分配されていることが好ましい。
【００１１】
これにより、乾燥用風発生機からの乾燥用風をスキー靴の内部とケースの内部空間の両方にそれぞれ供給することができ、スキー靴とスキー靴以外の用品を同時に乾燥処理することが可能になる。
【００１２】
また、前記乾燥用風供給体は、立設面に対して平行に延設された第１乾燥用風供給体と、該第１乾燥用風供給体に接続され、前記内壁面に対して起立する方向に延設された第２乾燥用風供給体と、を有しており、前記第１乾燥用風供給体と前記第２乾燥用風供給体とは前記ケースの内部空間内において逆Ｔ字型をなしていることが好ましい。
【００１３】
これにより、スキー靴の内部と入口の両方に乾燥空気を供給することができると共に、ケースの内部空間に垂れ落ちた水にスキー靴が接触しないようにすることができる。
【００１４】
また、前記ケース内には前記スキー用品を載置するスキー用品載置部が配設されていることが好ましい。
【００１５】
これにより、スキー用品のうちスキー靴と共に他のスキー用品も同時に乾燥処理することができるため、スキー用品の乾燥処理時間を短縮することができる。また、スキー靴とは別の位置で乾燥処理をすることが可能になるため、スキー靴の表面から落ちた水滴とスキー用品との接触を防ぐことができる。
【００１６】
また、前記ケース内には排気ファンが配設されていることが好ましい。
また、前記ケースには金銭投入部と電源供給用タイマが配設されていて、前記電源供給用タイマは、前記金銭投入部に投入された金額に応じた時間にわたって電源を供給することが好ましい。
【００１７】
これらによりスキー用品乾燥装置の使い勝手をより良好にすることができる。
【発明の効果】
【００１８】
本発明にかかるスキー用品乾燥装置の構成を採用することにより、スキー靴の内部の乾燥処理が容易であると共に、スキー靴の乾燥処理が不要な場合にはケースの内部空間における吹き出し管を回動させて、乾燥処理用スペースであるケースの内部空間の端に退避させることで、乾燥処理を行うスペースを広くすることが可能になる。
【図面の簡単な説明】
【００１９】
【図１】本実施形態におけるスキー用品乾燥装置の斜視図である。
【図２】図１内の２−２線における断面図である。
【図３】図１に示すスキー用品乾燥装置のケースの内部空間の拡大図である。
【図４】スキー靴を乾燥しない場合におけるスキー用品乾燥装置のケースの内部空間を示す正面図である。
【図５】連結体の斜視図である。
【図６】乾燥用風供給体の変形例を示す説明図である。
【発明を実施するための形態】
【００２０】
以下、本発明にかかるスキー用品乾燥装置の実施形態について、図面に基づいて説明する。
図１〜図３に示すように、本実施形態にかかるスキー用品乾燥装置１００は、スキー用品を収容するケース１０と、乾燥用風を発生するための乾燥用風発生機２０と、乾燥用風供給体３０と、乾燥用風発生機２０と乾燥用風供給体３０とを連結する連結体４０と、乾燥用風発生機制御部５０と、を有している。乾燥用風発生機２０の具体的な構成としてはヒータやエアコンを用いることができる。
【００２１】
ケース１０は直方体に形成されていて、前面全体が開閉可能な開閉扉１２に形成されている。ケース１０の内壁面１０Ａのうち底面奥側部分には収容空間１４が形成されている。本実施形態の収容空間１４は、ケース１０の内部空間１１（以下、単に内部空間１１という）の内壁面１０Ａのうち底面から起立する鉛直仕切板１３Ａと、内壁面１０Ａの底面に平行な水平仕切板１３Ｂと、鉛直仕切板１３Ａおよび水平仕切板１３Ｂを接続し傾斜面を形成する傾斜仕切板１３Ｃと、をそれぞれ組み立てることにより形成されている。収容空間１４の形状は図２に示す形状の他、任意の形状に形成することができる。
【００２２】
このようにして形成された収容空間１４の内部には、乾燥用風発生機２０、乾燥用風発生機２０と乾燥用風供給体３０および水平仕切板１３Ｂ等に穿設され、内部空間１１に開口する噴き出し孔１５（第２の乾燥用風噴出口）をそれぞれ連結させる連結体４０、乾燥用風発生機２０のオンオフ動作を制御する乾燥用風発生機制御部５０が収容されている。
【００２３】
また、内部空間１１の上側部分には、スキー用品載置部としての収納棚１６が配設されている。収納棚１６はステンレス製の線材１６Ａを格子状に組み合わせて形成されており、内部空間１１に供給された乾燥用風が収納棚１６を通過すると共に収納棚１６自体を蓄熱させることができる。これにより収納棚１６に載置したスキー用品の乾燥処理を促進させることができる。本実施形態においては、収納棚１６を内部空間１１の上部位置に配設しているが、収納棚１６の配設箇所は特に限定されるものではなく、複数箇所に配設することも可能である。
【００２４】
傾斜仕切板１３Ｃには乾燥用風発生機２０が発生した乾燥用風を内部空間１１に供給する乾燥用風供給体３０が、傾斜仕切板１３Ｃの面内方向に回動可能に立設されている。具体的には、乾燥用風供給体３０を、図３に示すように傾斜仕切板１３Ｃの表面から直交方向に起立させた状態と、図４に示すようにケース１０の内部空間１１を形成する内壁面１０Ａ（ここではケース１０の側壁に対する内壁面１０Ａ）に沿わせた状態と、に切り替え可能にすべく、傾斜仕切板１３Ｃの平面内で回動可能に立設させている。
【００２５】
また本実施形態における乾燥用風供給体３０は、立設面である傾斜仕切板１３Ｃに沿って延設された第１乾燥用風供給体３２と、第１乾燥用風供給体３２に直交して起立する方向に延設された第２乾燥用風供給体３４とを有し、内部空間１１にあらわれている部分が略逆Ｔ字型をなしている。このような乾燥用風供給体３０は管体を組み合わせることにより形成することができる。
【００２６】
乾燥用風供給体３０は、第１乾燥用風供給体３２の一端部を傾斜仕切板１３Ｃに形成された貫通孔（図示せず）の部分において連結体４０に連結されている。乾燥用風供給体３０の外表面には、乾燥用風噴出口３１（第１の乾燥用風噴出口）が複数箇所に配設されている。図面にはあらわれていないが、乾燥用風噴出口３１は第１乾燥用風供給体３２の外表面にも配設されている。また、乾燥用風噴出口３１が穿設されていない部分には、図３及び図４に示すようにスキー靴９０を保護するための緩衝材３６を装着してもよい。
【００２７】
このような乾燥用風供給体３０の構成を採用することにより、スキー靴９０を乾燥させる際、第２乾燥用風供給体３４をスキー靴９０の内部に進入させると共に第１乾燥用風供給体３２がスキー靴９０の入口を支えた状態にすることができる。これにより、スキー靴９０の内部を短時間で確実に乾燥させることができることに加え、スキー靴９０の入口がケース１０の内壁面１０Ａ（特に内底面）から離反させてケース１０の内底面の水滴とスキー靴９０の入口との接触を防ぎ、スキー靴９０全体の乾燥処理を短時間で行うことができる点で好都合である。
【００２８】
乾燥用風発生機２０と乾燥用風供給体３０とを連結する連結体４０は、図５に示すように、乾燥用風発生機２０に連結される一方の連結部分４２は１つの経路に形成されているが、他方の連結部分４４は３つの分岐部４４Ａ，４４Ｂ，４４Ｃを有する形状に形成されている。３つの分岐部４４Ａ，４４Ｂ，４４Ｃのうちの２つの分岐部４４Ａ，４４Ｂが乾燥用風供給体３０に連結され、残りの分岐部４４Ｃを水平仕切板１３Ｂに穿設された複数の噴き出し孔１５に連結されている。図においては水平仕切板１３Ｂのみに噴き出し孔１５が穿設されている構成が示されているが、噴き出し孔１５は内壁面１０Ａの任意の位置に穿設することもできる。
【００２９】
連結体４０は断熱性を有する材料により形成されていることが好ましく、他方の連結部分４４が断熱性を有すると共にフレキシブルな材料により形成されていることがより好ましい。この連結体４０には乾燥用風供給体３０の回動位置に応じて乾燥用風供給体３０との分岐部４４Ａ，４４Ｂの流路を開閉する開閉弁（図示せず）を配設することもできる。
【００３０】
具体的には、乾燥用風供給体３０が図３に示すような状態における開閉弁は、乾燥用風供給体３０との分岐部４４Ａ，４４Ｂの流路を開いた状態にし、乾燥用風供給体３０が図４に示すような状態における開閉弁は、乾燥用風供給体３０との分岐部４４Ａ，４４Ｂの流路を閉じるように動作させるようにすればよい。このような開閉弁は、乾燥用風供給体３０との回動可能な連結部分に配設すると共に、乾燥用風供給体３０の回動動作とリンクする機構を配設することにより実現可能である。
【００３１】
乾燥用風供給体３０を使用する状態（図３に示す状態）においては、乾燥用風発生機２０からの乾燥用風は噴き出し孔１５と乾燥用風供給体３０の両方に分配され、それぞれの分配先から乾燥用風が内部空間１１に供給される。このような使用形態は、スキー靴９０や手袋やゴーグルをまとめて乾燥処理する際に好都合である。これに対して乾燥用風供給体３０を使用しない状態（図４に示す状態）においては、乾燥用風発生機２０からの乾燥用風は噴き出し孔１５のみから内部空間１１に供給される。このような使用形態は、スキーウェア等の大きなスキー用品を乾燥させる際に好都合である。なお、乾燥用風供給体３０を図４に示した状態にした際においても乾燥用風噴出口３１から乾燥用風を供給するようにしてもよい。
【００３２】
以上に説明したように、使用形態に応じて乾燥処理を行うスペースであるの内部空間１１への乾燥用風の供給形態を異ならせることによって乾燥処理対象物の乾燥処理を最適化することができる。また、図３に示した使用状態と図４に示した使用状態に応じて乾燥用風発生機制御部５０が乾燥用風発生機２０の出力（風量）や乾燥用風温度を変更するようにしてもよい。たとえば、図３に示す状態においては、乾燥用風発生機制御部５０は乾燥用風発生機２０の乾燥用風温度を所定温度となるように乾燥用風発生機２０の動作を制御し、図４に示す状態においては、乾燥用風発生機制御部５０は図３に示した状態よりも乾燥用風発生機２０の乾燥用風温度を低温にすると共に風量を増やすように乾燥用風発生機２０の動作を制御する等の動作制御することができる。
【００３３】
以上に本実施形態にかかるスキー用品乾燥装置１００について具体例に基づいて説明をしたが、本発明にかかるスキー用品乾燥装置１００は、以上の実施形態に限定されるものではない。例えば、乾燥処理中のスキー用品の盗難等を防止するために、開閉扉１２には鍵をつけることもできる。
【００３４】
また、本実施形態においては、ケース１０内に形成した収容空間１４に乾燥用風発生機２０、連結体４０、乾燥用風発生機制御部５０を収容した実施形態について説明しているが、内部空間１１に収容空間１４を形成せず、ケース１０の外部に乾燥用風発生機２０、連結体４０、乾燥用風発生機制御部５０が配設された形態を採用することもできる。
【００３５】
また、図４の破線で示しているように、ケース１０の内壁面１０Ａに内部空間１１に連通する連通孔１７を穿設すると共に排気ファン６０を配設し、内部空間１１の排気を可能にした構成を採用することもできる。
【００３６】
また、ケース１０に金銭投入部を設けると共に、金銭投入部に投入された金額に応じて乾燥用風発生機２０や排気ファン６０に電源を供給する電源供給用タイマ（いずれも図示せず）を配設してもよい。さらには、スキー用品乾燥装置１００をスキー用品乾燥装置１００の高さ方向や幅方向に複数並べて配設してもよい。この場合、それぞれのスキー用品乾燥装置１００の内部空間１１の連通孔１７を１台の排気ファン６０に連通させた状態で各スキー用品乾燥装置１００の内部空間１１の排気処理を行うようにしてもよい。
【００３７】
また、以上の実施形態においては、乾燥用風供給体３０を図３に示す状態と図４に示す状態とに切り替え可能にすべく、ケース１０の内部空間１１を形成する内壁面１０Ａの一部である傾斜仕切板１３Ｃの平面内において回動させる形態について説明したが、乾燥用風供給体３０の切り替え形態はこの形態に限定されるものではない。例えば、図６に示すように第２乾燥用風供給体３４を第１乾燥用風供給体３２の外周面に沿って回動可能にし、図６内の実線であらわした状態と破線であらわした状態とを切り替え可能にした形態であってもよい。このとき、第１乾燥用風供給体３２を内壁面１０Ａ（ケース１０の底面、背面、側面に対する内壁面１０Ａであることが好ましい）に沿って延設すれば、第２乾燥用風供給体３４を、内壁面１０Ａに直交方向に立設する状態と内壁面１０Ａに沿った状態とに切り替えすることができる。これにより、スキー靴９０の乾燥処理を行わない場合における乾燥処理用スペースである内部空間１１を、図６に示す状態よりもさらに広くすることができる点で好都合である。
【００３８】
そして、上記の実施形態および各種の変形例を適宜組み合わせた構成を採用することもできる。
また、本明細書においては、スキー用品乾燥装置１００で乾燥処理を行う用品としてスキー用品を例示して説明したが、スキー用品の他に、スノーボード用品や、スノーシュー等に代表される雪上スポーツ（雪上アクティビティ）用品等の乾燥処理に用いることもできる。
【符号の説明】
【００３９】
１０  ケース；          １０Ａ  内壁面；              １１  内部空間；
１２  開閉扉；          １３  仕切板；                １３Ａ  鉛直仕切板；
１３Ｂ  水平仕切板；    １３Ｃ  傾斜仕切板；          １４  収容空間；
１５  噴き出し孔；      １６  収納棚；                １６Ａ  線材；
１７  連通孔；          ２０  乾燥用風発生機；        ３０  乾燥用風供給体；
３１  乾燥用風噴出口；  ３２  第１乾燥用風供給体；    ３４  第２乾燥用風供給体；
３６  緩衝材；          ４０  連結体；                ４２  一方の連結部分；
４４  他方の連結部分；  ４４Ａ，４４Ｂ，４４Ｃ  分岐部；
５０  乾燥用風発生機制御部；
６０  排気ファン；      ９０  スキー靴；              １００  スキー用品乾燥装置
【図１】
2017086157.tif 000003
【図２】
2017086157.tif 000004
【図３】
2017086157.tif 000005
【図４】
2017086157.tif 000006
【図５】
2017086157.tif 000007
【図６】
2017086157.tif 000008